(57)【特許請求の範囲】
【請求項１】
制御盤の盤面に対して押し入れたり引き出したりする操作スイッチの状態を識別するための、制御盤の操作スイッチ用アダプタであって、
前記盤面に対して出入りする前記操作スイッチの主軸において、押し入れた状態で前記盤面から露出する部位を押し入れ時露出部、露出しない部位を押し入れ時非露出部とし、
前記押し入れ時露出部の外周面を覆うように装着可能で、表面が前記押し入れ時非露出部の表面色と異なる色彩となっており、前記押し入れ時露出部の外周面を覆うように取り付けられる
ことを特徴とする制御盤の操作スイッチ用アダプタ。
【請求項２】
変形自在な材料で構成された筒状で、軸方向に沿った開口部を有し、該開口部から前記主軸を筒内に収容するようにして装着可能となっており、着脱自在に装着した
ことを特徴とする請求項１に記載の制御盤の操作スイッチ用アダプタ。
【発明の詳細な説明】
【技術分野】
【０００１】
この発明は、制御盤に配設されている操作スイッチに関し、特に、操作スイッチの状態をわかりやすくする操作スイッチ用アダプタに関する。
【背景技術】
【０００２】
発電所の制御盤には、各機器を操作・制御するための操作スイッチ（ＣＳ）が配設されている。この操作スイッチ１は、図５に示すように、制御盤の盤面１０１に対して出し入れ自在なスイッチで、例えば、図５（ａ）に示すように、押し入れた状態で機器が自動制御され、図５（ｂ）に示すように、引き出した状態で自動制御がロック・解除されるようになっている。このような操作スイッチ１が複数配設され、図６に示すように、押し入れた状態（押し自動状態）の操作スイッチ１と、引き出した状態（引きロック状態）の操作スイッチ１とが混在している。
【０００３】
一方、操作盤の非常用押しボタンスイッチが有効に機能しているか否かを、作業者が容易に把握できるようにしたスイッチが知られている（例えば、特許文献１参照。）。このスイッチは、操作ボタンの押し込み操作によって所定回路に接続されるスイッチ接点を備える。そして、スイッチ接点が所定回路に接続されている場合に、操作ボタンを所定色で発光させ、スイッチ接点が所定回路に接続されていない場合に、操作ボタンを非発光状態とするものである。
【先行技術文献】
【特許文献】
【０００４】
【特許文献１】特開２００４−３１９２５８号公報
【発明の概要】
【発明が解決しようとする課題】
【０００５】
ところで、発電所の制御盤に対して起動操作や停止操作などの一連の操作を完了した場合、オペレータは操作スイッチ１の状態を確認している。つまり、各操作スイッチ１が正しく押し自動状態にあるか引きロック状態にあるかをチェックしている。しかしながら、押し自動状態か引きロック状態かの判別は、制御盤の盤面１０１からの操作スイッチ１の突出量だけで行わなければならないため、判別がし難く、誤操作や復旧忘れが生じるおそれがある。
【０００６】
また、特許文献１の技術では、所定回路やスイッチ接点、光源などを備える必要があり、構成が複雑になるばかりでなく、既存・既設の操作スイッチに適用することが容易ではない。
【０００７】
そこでこの発明は、構成が簡易で、操作スイッチの状態を容易かつ確実に判別可能にする制御盤の操作スイッチ用アダプタを提供することを目的とする。
【課題を解決するための手段】
【０００８】
上記課題を解決するために、請求項１の発明は、制御盤の盤面に対して押し入れたり引き出したりする操作スイッチの状態を識別するための、制御盤の操作スイッチ用アダプタであって、前記盤面に対して出入りする前記操作スイッチの主軸において、押し入れた状態で前記盤面から露出する部位を押し入れ時露出部、露出しない部位を押し入れ時非露出部とし、前記押し入れ時露出部の外周面を覆うように装着可能で、表面が前記押し入れ時非露出部の表面色と異なる色彩となっており、前記押し入れ時露出部の外周面を覆うように取り付けられる、ことを特徴とする。
【０００９】
請求項２の発明は、請求項１に記載の制御盤の操作スイッチ用アダプタにおいて、変形自在な材料で構成された筒状で、軸方向に沿った開口部を有し、該開口部から前記主軸を筒内に収容するようにして装着可能となっており、着脱自在に装着したことを特徴とする。
【発明の効果】
【００１２】
請求項１の発明によれば、操作スイッチの主軸の押し入れ時露出部に本操作スイッチ用アダプタを装着すると、押し入れた操作スイッチでは、盤面から本操作スイッチ用アダプタのみが露出し、引き出した操作スイッチでは、盤面から押し入れ時非露出部も露出する。そして、本操作スイッチ用アダプタと押し入れ時非露出部の表面色が異なるため、押し入れ時非露出部の表面色が見えないか見えるかによって、操作スイッチが押し入れられているか引き出されているかを、容易に（一目で）かつ確実に判別することが可能となる。この結果、誤操作や復旧忘れを防止することができる。
【００１３】
しかも、本操作スイッチ用アダプタを主軸の押し入れ時露出部に装着するだけでよいため、構成が簡易で、既存・既設の操作スイッチに容易かつ確実に適用することが可能である。
【００１４】
請求項２の発明によれば、操作スイッチ用アダプタが変形自在な筒状で構成され、軸方向に沿った開口部を有するだけであるため、構成が簡易で、製作費を低減することができる。しかも、開口部から主軸を筒内に収容するだけで操作スイッチ用アダプタを装着可能なため、容易かつ迅速に操作スイッチ用アダプタを装着することができ、操作スイッチに着脱自在に装着したので、既存・既設の操作スイッチに容易かつ確実に適用することが可能である。
【図面の簡単な説明】
【００１９】
【図１】この発明の実施の形態１に係る操作スイッチ用アダプタを装着した操作スイッチを示す正面図であり、（ａ）は、操作スイッチを押し入れた状態を示し、（ｂ）は、操作スイッチを引き出した状態を示す。
【図２】図１の操作スイッチ用アダプタを示す正面図（ａ）と平面図（ｂ）である。
【図３】この発明の実施の形態２に係る操作スイッチを示す正面図であり、（ａ）は、操作スイッチを押し入れた状態を示し、（ｂ）は、操作スイッチを引き出した状態を示す。
【図４】この発明の実施の形態３に係る操作スイッチを示す正面図であり、（ａ）は、操作スイッチを押し入れた状態を示し、（ｂ）は、操作スイッチを引き出した状態を示す。
【図５】この発明が適用される操作スイッチを示す正面図であり、（ａ）は、操作スイッチを押し入れた状態を示し、（ｂ）は、操作スイッチを引き出した状態を示す。
【図６】図５の押し入れられた操作スイッチと引き出された操作スイッチが混在する状態を示す斜視図である。
【発明を実施するための形態】
【００２０】
以下、この発明を図示の実施の形態に基づいて説明する。
【００２１】
（実施の形態１）
図１は、この実施の形態に係る制御盤の操作スイッチ用アダプタ２を装着した操作スイッチ１を示す正面図であり、（ａ）は、操作スイッチ１を押し入れた状態を示し、（ｂ）は、操作スイッチ１を引き出した状態を示す。この操作スイッチ用アダプタ２は、操作スイッチ１が押し入れられた状態であるか引き出された状態であるかを、容易に識別するためのアダプタである。
【００２２】
ここで、まず、操作スイッチ１について説明すると、操作スイッチ１は、発電所の制御盤に配設され、各機器を操作・制御するためのスイッチである。この操作スイッチ１は、図５に示すように、制御盤の盤面１０１に対して押し入れたり引き出したりするスイッチで、図５（ａ）に示すように、押し入れた状態で機器が自動制御され、図５（ｂ）に示すように、引き出した状態で自動制御がロック・解除されるようになっている。
【００２３】
この操作スイッチ１は、円柱状で一端側（下端側）が盤面１０１に挿入された主軸１１を備え、この主軸１１が盤面１０１に対して軸方向に出入りするようになっている。また、この主軸１１の他端側（上端側）に円筒状の連結部１２が設けられ、さらに、連結部１２の反主軸１１側（上側）に、オペレータが把持するハンドル部１３が設けられている。この主軸１１は、金属製で表面色が略銀色となっており、連結部１２と把持部１３は、樹脂製で表面色が略茶色となっている。また、この実施の形態では、盤面１０１の表面に平板状のカバー１０２が着脱自在に配設され、このカバー１０２と盤面１０１を主軸１１が貫通している。
【００２４】
ここで、主軸１１は、一部（根元側）のみが盤面１０１から出入りし、この主軸１１において、押し入れた状態で、盤面１０１（カバー１０２）から露出する部位を押し入れ時露出部１１ａとし、盤面１０１から露出しない部位を押し入れ時非露出部１１ｂとする。すなわち、押し入れ時非露出部１１ｂは、主軸１１の根元側（盤面１０１側）の部分であり、操作スイッチ１を押し入れた際に、図５（ａ）に示すように、盤面１０１内に挿入され、操作スイッチ１を引き出した際に、図５（ｂ）に示すように、盤面１０１から突出・露出する。一方、押し入れ時露出部１１ａは、押し入れ時非露出部１１ｂに隣接し主軸１１の反盤面１０１側（上側）の部分であり、図５（ａ）、（ｂ）に示すように、操作スイッチ１を押し入れても盤面１０１内に挿入されない部分、つまり、常に盤面１０１から突出・露出する部分である。
【００２５】
操作スイッチ用アダプタ２は、主軸１１の押し入れ時露出部１１ａの外周面を覆うように装着可能で、表面が押し入れ時非露出部１１ｂの表面色と異なる色彩となっている。具体的には、変形自在な材料（例えば、ゴム材）で構成され、図２に示すように、円筒状（チューブ状）で、内径が主軸１１の外径とほぼ同径となっている。また、軸方向に沿った開口部（切断部）２１が一端縁から他端縁にわたって形成され、この開口部２１から主軸１１の押し入れ時露出部１１ａを筒内に収容するようにして（露出部１１ａに巻き付くようにして）装着可能となっている。さらに、内面に接着剤が塗布され、これにより、図１に示すように、押し入れ時露出部１１ａの全外周面を覆うように取り付けられる。
【００２６】
この操作スイッチ用アダプタ２の少なくとも表面（外面）は、押し入れ時非露出部１１ｂの表面色（略銀色）と異なる色彩（例えば、ピンク色）となっている。ここで、その色彩は、押し入れ時非露出部１１ｂの表面色と識別しやすい色が好ましい。
【００２７】
このような構成の操作スイッチ用アダプタ２によれば、上記のようにして各操作スイッチ１の押し入れ時露出部１１ａに操作スイッチ用アダプタ２を装着すると、押し入れた操作スイッチ１では、図１（ａ）に示すように、盤面１０１から操作スイッチ用アダプタ２のみが露出し、引き出した操作スイッチ１では、図１（ｂ）に示すように、盤面１０１から操作スイッチ用アダプタ２と押し入れ時非露出部１１ｂが露出する。そして、操作スイッチ用アダプタ２と押し入れ時非露出部１１ｂの表面色が異なるため、押し入れ時非露出部１１ｂの表面色が見えないか見えるかによって、操作スイッチ１が押し入れられているか引き出されているかを、容易に（一目で）かつ確実に判別することが可能となる。この結果、誤操作や復旧忘れを防止することができる。
【００２８】
しかも、操作スイッチ用アダプタ２を主軸１１の押し入れ時露出部１１ａに装着するだけでよいため、構成が簡易で、既存・既設の操作スイッチ１に容易かつ確実に適用することができる。
【００２９】
また、操作スイッチ用アダプタ２が変形自在な筒状で構成され、軸方向に沿った開口部２１を有するだけであるため、構成が簡易で、製作費を低減することができる。しかも、開口部２１から主軸１１を筒内に収容するだけで操作スイッチ用アダプタ２を装着できるため、容易かつ迅速に操作スイッチ用アダプタ２を装着することができる。特に、多数の操作スイッチ１に装着する場合でも、大きな労力や時間を要しない。
【００３０】
（実施の形態２）
図３は、この実施の形態に係る制御盤の操作スイッチ１を示す正面図であり、（ａ）は、操作スイッチ１を押し入れた状態を示し、（ｂ）は、操作スイッチ１を引き出した状態を示す。この実施の形態では、操作スイッチ用アダプタ２に代わって押し入れ時非露出部１１ｂを着色する点で実施の形態１と構成が異なり、実施の形態１と同等の構成については、同一符号を付することでその説明を省略する。
【００３１】
すなわち、この実施の形態の操作スイッチ１では、押し入れ時非露出部１１ｂの表面が押し入れ時露出部１１ａの表面色（略銀色）と異なる色（例えば、ピンク色）で着色されている。
【００３２】
そして、押し入れた操作スイッチ１では、図３（ａ）に示すように、盤面１０１から押し入れ時露出部１１ａのみが露出し、引き出した操作スイッチ１では、図３（ｂ）に示すように、盤面１０１から押し入れ時露出部１１ａと押し入れ時非露出部１１ｂが露出する。この際、押し入れ時露出部１１ａと押し入れ時非露出部１１ｂの表面色が異なるため、押し入れ時非露出部１１ｂの表面色が見えないか見えるかによって、操作スイッチ１が押し入れられているか引き出されているかを、容易に（一目で）かつ確実に判別することが可能となる。この結果、誤操作や復旧忘れを防止することができる。
【００３３】
しかも、押し入れ時非露出部１１ｂの表面を押し入れ時露出部１１ａの表面色と異なる色で着色するだけでよいため、構成が簡易で、既存・既設の操作スイッチ１に容易かつ確実に適用することができる。
【００３４】
（実施の形態３）
図４は、この実施の形態に係る制御盤の操作スイッチ１を示す正面図であり、（ａ）は、操作スイッチ１を押し入れた状態を示し、（ｂ）は、操作スイッチ１を引き出した状態を示す。この実施の形態では、押し入れ時非露出部１１ｂに代わって押し入れ時露出部１１ａを着色する点で実施の形態２と構成が異なり、実施の形態２と同等の構成については、同一符号を付することでその説明を省略する。
【００３５】
すなわち、この実施の形態の操作スイッチ１では、押し入れ時露出部１１ａの表面が押し入れ時非露出部１１ｂの表面色（略銀色）と異なる色（例えば、ピンク色）で着色されている。
【００３６】
そして、押し入れた操作スイッチ１では、図４（ａ）に示すように、盤面１０１から押し入れ時露出部１１ａのみが露出し、引き出した操作スイッチ１では、図４（ｂ）に示すように、盤面１０１から押し入れ時露出部１１ａと押し入れ時非露出部１１ｂが露出する。この際、押し入れ時露出部１１ａと押し入れ時非露出部１１ｂの表面色が異なるため、押し入れ時非露出部１１ｂの表面色が見えないか見えるかによって、操作スイッチ１が押し入れられているか引き出されているかを、容易に（一目で）かつ確実に判別することが可能となる。この結果、誤操作や復旧忘れを防止することができる。
【００３７】
しかも、押し入れ時露出部１１ａの表面を押し入れ時非露出部１１ｂの表面色と異なる色で着色するだけでよいため、構成が簡易で、既存・既設の操作スイッチ１に容易かつ確実に適用することができる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１において、操作スイッチ用アダプタ２の内面に接着剤を塗布しているが、接着剤を塗布しないで、操作スイッチ用アダプタ２を押し入れ時露出部１１ａに着脱自在にしてもよい。また、実施の形態２、３では、押し入れ時露出部１１ａまたは押し入れ時非露出部１１ｂの一方のみを着色しているが、双方を異なる色で着色してもよい。
【符号の説明】
【００３９】
１        操作スイッチ
１１      主軸
１１ａ    押し入れ時露出部
１１ｂ    押し入れ時非露出部
２        操作スイッチ用アダプタ
２１      開口部
１０１    盤面
【図１】
0006710940.tif 000002
【図２】
0006710940.tif 000003
【図３】
0006710940.tif 000004
【図４】
0006710940.tif 000005
【図５】
0006710940.tif 000006
【図６】
0006710940.tif 000007